(57)【特許請求の範囲】
【請求項１】
吸込口と吹出口とを有する略箱形状の本体ケースと、
前記本体ケース内に設けた加湿手段と、
前記吸込口から吸い込んだ空気を、送風路によって、前記加湿手段を介して前記吹出口へ送風する送風手段とからなり、
前記加湿手段は、
水を貯水できる貯水容器部と、
前記貯水容器部に水を供給するタンク部と、
前記貯水容器部の水に開口端部が浸漬する筒形状の加湿フィルター部とを有し、
前記吸込口は、
前記本体ケースにおける一方側の側面である第１の側面に設けられた第１の吸込口と、
前記第１の側面と隣接した第２の側面に設けられた第２の吸込口とからなり、
前記第１の吸込口は、前記加湿フィルター部に対向した第１の下吸込口と、前記第１の下吸込口の上方に位置する第１の上吸込口とからなり、
前記第２の吸込口は、前記加湿フィルター部に対向した第２の下吸込口と、前記第２の下吸込口の上方に位置する第２の上吸込口とからなり、
前記加湿フィルター部は、
前記第１の下吸込口から本体内方に見える第１の加湿フィルター部分と、
前記第２の下吸込口から本体内方に見える第２の加湿フィルター部分と、
前記第１の加湿フィルター部分に対向した第３の加湿フィルター部分と、
前記第２の加湿フィルター部分に対向した第４の加湿フィルター部分とを有し、
前記送風手段によって前記第１の下吸込口から吸い込まれた空気は、第１の加湿フィルター部分に主に流れ、
前記第２の下吸込口から吸い込まれた空気は、第２の加湿フィルター部分に主に流れ、
前記第１の上吸込口および前記第２の上吸込口から吸い込まれた空気は、第１の連通路を介して前記第４の加湿フィルター部分へ主に流れ、
前記加湿フィルター部は、前記貯水容器部の前記本体ケースにおける一方側に設けられ、前記タンク部は、前記貯水容器部の前記本体ケースにおける他方側に設けられ、前記第２の吸込口の前記本体ケースにおける他方側には、第３の吸込口を備え、
前記第３の吸込口から本体内方には前記タンク部が見え、
前記第３の吸込口は、前記タンク容器部分の第１の側面に対向し、
前記第１の側面と隣り合った前記タンク容器部分の第２の側面は、前記第３の加湿フィルター部分に対向し、
前記第３の吸込口から吸い込まれた空気は、前記第３の吸込口から前記タンク部であるタンク容器部分の外面である前記第１の側面から前記第３の加湿フィルター部分へ延びる第２の連通路を介して、前記第３の加湿フィルター部分と前記タンク部の前記第２の側面との間から前記第３の加湿フィルター部分へ主に流れることを特徴とする加湿装置。
【請求項２】
前記タンク部は、前記タンク部の内方へ窪んだ凹部を有し、前記凹部は、前記第２の連通路に位置する構成とした請求項１に記載の加湿装置。
【請求項３】
前記第２の下吸込口の水平方向の寸法は、前記第１の下吸込口の水平方向の寸法より大きく、前記第２の加湿フィルター部分および前記第４の加湿フィルター部分の水平方向の寸法は、前記第１の加湿フィルター部分の水平方向の寸法より大きいことを特徴とする請求項１または２に記載の加湿装置。
【発明の詳細な説明】
【技術分野】
【０００１】
本発明は、貯水容器に貯水した水に一部を浸漬した加湿フィルターに通風して加湿する気化式の加湿装置に関するものである。
【背景技術】
【０００２】
従来、この種の加湿装置において、室内の空気を本体に広く形成した吸込口から吸い込み、本体内に配設した加湿フィルター部に広い面から通過させて、通気特性を向上させるとともに、加湿フィルター部の気化効率を向上させたものが知られている（例えば、特許文献１参照）。以下、特許文献１に記載の加湿器について説明する。
【０００３】
上面に吹出開口が開設された角柱状の筐体を有する加湿器の内部に、貯水した水受け水槽と、水受け水槽の水にその下端部が浸されるように配置された平面視略四角形状の加湿フィルター部と、水受け水槽に水を供給する給水タンクとを配設している。
【０００４】
そして、本体には、両側面および後面に空気取入口を開設し、空気取入口から吹出開口につながる風路に吹出用送風機を設け、空気取入口から本体内に導入された室内空気が加湿フィルター部の外表面から内側の空間に導かれた後、加湿空気が吹出用送風機を介して室内に吹き出される。
【先行技術文献】
【特許文献】
【０００５】
【特許文献１】特開２００２−８９８９５号公報
【発明の概要】
【発明が解決しようとする課題】
【０００６】
このような特許文献１に記載の加湿器では、空気取入口は、本体の両側面および後面に開設され、広い面積で多方向の開口から加湿フィルター部に室内空気が送風される。
【０００７】
しかし、開口する本体の側面の数が多いので騒音が増大する。
【０００８】
そこで、本発明は、上記従来の課題を解決して、騒音の増大を抑えることができる加湿装置を提供することを目的とする。
【課題を解決するための手段】
【０００９】
そして、この目的を達成するために、本発明の加湿装置は、吸込口と吹出口とを有する略箱形状の本体ケースと、前記本体ケース内に設けた加湿手段と、前記吸込口から吸い込んだ空気を、送風路によって、前記加湿手段を介して前記吹出口へ送風する送風手段とからなり、前記加湿手段は、水を貯水できる貯水容器部と、前記貯水容器部に水を供給するタンク部と、前記貯水容器部の水に開口端部が浸漬する筒形状の加湿フィルター部とを有し、前記吸込口は、前記本体ケースにおける一方側の側面である第１の側面に設けられた第１の吸込口と、前記第１の側面と隣接した第２の側面に設けられた第２の吸込口とからなり、前記第１の吸込口は、前記加湿フィルター部に対向した第１の下吸込口と、前記第１の下吸込口の上方に位置する第１の上吸込口とからなり、前記第２の吸込口は、前記加湿フィルター部に対向した第２の下吸込口と、前記第２の下吸込口の上方に位置する第２の上吸込口とからなり、前記加湿フィルター部は、前記第１の下吸込口から本体内方に見える第１の加湿フィルター部分と、前記第２の下吸込口から本体内方に見える第２の加湿フィルター部分と、前記第１の加湿フィルター部分に対向した第３の加湿フィルター部分と、前記第２の加湿フィルター部分に対向した第４の加湿フィルター部分とを有し、前記送風手段によって前記第１の下吸込口から吸い込まれた空気は、第１の加湿フィルター部分に主に流れ、前記第２の下吸込口から吸い込まれた空気は、第２の加湿フィルター部分に主に流れ、前記第１の上吸込口および前記第２の上吸込口から吸い込まれた空気は、第１の連通路を介して前記第４の加湿フィルター部分へ主に流れ、前記加湿フィルター部は、前記貯水容器部の前記本体ケースにおける一方側に設けられ、前記タンク部は、前記貯水容器部の前記本体ケースにおける他方側に設けられ、前記第２の吸込口の前記本体ケースにおける他方側には、第３の吸込口を備え、前記第３の込口から本体内方には前記タンク部が見え、前記第３の吸込口は、前記タンク容器部分の第１の側面に対向し、前記第１の側面と隣り合った前記タンク容器部分の第２の側面は、前記第３の加湿フィルター部分に対向し、前記第３の吸込口から吸い込まれた空気は、前記第３の吸込口から前記タンク部であるタンク容器部分の外面である前記第１の側面から前記第３の加湿フィルター部分へ延びる第２の連通路を介して、前記第３の加湿フィルター部分と前記タンク部の前記第２の側面との間から前記第３の加湿フィルター部分へ主に流れることを特徴とする。
【発明の効果】
【００１０】
本発明によれば、吸込口を本体ケースにおける一方側の側面である第１の側面に設けられた第１の吸込口と、第１の側面と隣接した第２の側面に設けられた第２の吸込口として、騒音の増大を抑えることができ、加湿フィルター部の気化効率を更に向上させることができる。
【図面の簡単な説明】
【００１１】
【図１】本発明の実施の形態１の加湿装置を本体ケース背面側から見た斜視図
【図２】同加湿装置を本体ケース背面側から見た斜視図
【図３】同加湿装置を本体ケース前面側から見た展開図
【図４】同加湿装置の本体ケース内を示す前方から見た断面図
【図５】同加湿装置の本体ケース内を示す前方から見た正面図
【図６】同加湿装置の本体ケース内を示す前方から見た斜視図
【図７】同加湿装置の本体ケース内を示す上方から見た断面斜視図
【図８】同加湿装置の本体ケース内を示す上方から見た断面斜視図
【発明を実施するための形態】
【００１２】
以下、本発明の実施の形態について図面を参照しながら説明する。
【００１３】
（実施の形態１）
図１は、本発明の実施の形態１の加湿装置を本体ケース背面側から見た斜視図である。図２は、本発明の実施の形態１の加湿装置を本体ケース背面側から見た斜視図である。図２は、本体ケース３の第１の吸込口６と第２の吸込口７から、第１の吸込口フィルター６ａと第２の吸込口フィルター７ａとを外した斜視図である。図３は、本発明の実施の形態１の本体ケース前面側から見た展開図である。図４は、本発明の実施の形態１の本体ケース内を示す前方から見た断面図である。
【００１４】
吸込口１と吹出口２とを有する略箱形状の本体ケース３と、本体ケース３内には、加湿手段４と送風手段５とを備えている。
【００１５】
本体ケース３は、奥行き寸法より高さ寸法が大きく、高さ寸法より左右寸法が大きい箱形状である。吹出口２は、本体ケース３における一方側（本体ケースの正面から見て左側）の天面に設けられている。吸込口１は、第１の吸込口６と第２の吸込口７とから形成している。
【００１６】
第１の吸込口６は、本体ケース３における一方側（本体ケースの正面から見て左側）の側面である第１の側面８の下部に設けられ、第２の吸込口７は、第１の側面８と隣接した第２の側面９の下部に設けられている。第２の側面９は、本体ケース３における背面である。第１の吸込口６には、着脱自在な第１の吸込口フィルター６ａを備え、第２の吸込口７には、着脱自在な第２の吸込口フィルター７ａを備えている。
【００１７】
第１の吸込口６は、後述する加湿フィルター部１０に対向した第１の下吸込口１１と、第１の下吸込口１１の上方に位置する第１の上吸込口１２とからなる。第２の吸込口７は、後述する加湿フィルター部１０に対向した第２の下吸込口１３と、第２の下吸込口１３の上方に位置する第２の上吸込口１４とからなる。
【００１８】
加湿手段４は、貯水容器部１５と、タンク部１６と、加湿フィルター部１０とからなる。
【００１９】
貯水容器部１５は、上面が開口した椀形状で、水を貯水できる。貯水容器部１５は、貯水容器部１５の一方側（本体ケースの正面から見て左側）には、加湿フィルター部１０が装着され、貯水容器部１５の他方側（本体ケースの正面から見て右側）には、タンク部１６が装着される。タンク部１６から供給された水が、貯水容器部１５内に所定の量だけ溜まる。
【００２０】
タンク部１６は、水を貯水できるタンク容器部分１７と、タンク容器部分の上部に設けられたタンク取手部分１８と、タンク容器部分１７の下部に備えた貯水容器部１５へ水を供給するタンク給水部分１９とから形成されている。
【００２１】
加湿フィルター部１０は、筒形状で貯水容器部１５に溜まった水に開口端部が浸漬するように、貯水容器部１５に装着されている。加湿フィルター部１０は、貯水容器部１５内に溜まった水を吸い上げ、加湿フィルター部１０全体が湿った状態になる。筒形状の加湿フィルター部１０は、第１の加湿フィルター部分２０と、第２の加湿フィルター部分２１と、第３の加湿フィルター部分２２と、第４の加湿フィルター部分２３とを有している。
【００２２】
第１の加湿フィルター部分２０は、第１の下吸込口１１に対向している。第１の下吸込口１１から本体ケース３内方を見と、第１の加湿フィルター部分２０が見える。
【００２３】
第２の加湿フィルター部分２１は、第２の下吸込口１３に対向している。第２の下吸込口１３から本体ケース３を見と、第２の加湿フィルター部分２１が見える。
【００２４】
第３の加湿フィルター部分２２は、第１の加湿フィルター部分２０に対向している。すなわち、第３の加湿フィルター部分２２は、本体ケース３における他方側（右側）寄りに設けられ、第１の加湿フィルター部分２０は、本体ケース３における一方側（左側）に設けられている。
【００２５】
第４の加湿フィルター部分２３は、第２の加湿フィルター部分２１に対向している。すなわち、第４の加湿フィルター部分２３は、本体ケース３における前面側に設けられ、第２の加湿フィルター部分２１は、本体ケース３における背面側に設けられている。
【００２６】
送風手段５は、加湿フィルター部１０の上方に設けられている。モータ２４と、モータ２４によって回転する羽根２５とから構成している。送風手段５は、吸込口１から吸い込んだ空気を、送風路５Ａによって、加湿手段４である加湿フィルター部１０を介して吹出口２へ送風する。
【００２７】
図５は、本発明の実施の形態１の加湿装置の本体ケース内を示す前方から見た正面図である。図６は、本発明の実施の形態１の加湿装置の本体ケース内を示す前方から見た斜視図である。図７は、本発明の実施の形態１の加湿装置の本体ケース内を示す上方から見た断面斜視図である。図７は、筒部３２における断面斜視図である。図８は、本発明の実施の形態１の本体ケース内を示す上方から見た断面斜視図である。図８は、加湿フィルター部１０における断面斜視図である。
【００２８】
図２、４、５に示すように、本実施形態における特徴は、送風路５Ａである。具体的には、送風手段５によって第１の下吸込口１１から吸い込まれた空気は、第１の加湿フィルター部分２０に主に流れる。送風手段５によって第２の下吸込口１３から吸い込まれた空気は、第２の加湿フィルター部分２１に主に流れる。送風手段５によって第１の上吸込口１２および第２の上吸込口１４から吸い込まれた空気は、第１の連通路２６を介して第４の加湿フィルター部分２３へ主に流れる。
【００２９】
更に詳しく説明すると、第１の上吸込口と第１の下吸込口との間、および第２の上吸込口と第２の下吸込口との間には、水平に設けられた板である仕切板２７が設けられている。
【００３０】
仕切板２７の下方には、加湿フィルター部１０を備えている下空間部２８を備え、仕切板２７の上方には、第１の上吸込口１２と第２の上吸込口１４とを連通する上空間部２９を有している。
【００３１】
図５、６、７に示すように、仕切板２７の中央には、第１の開口部３０を有し、この第１の開口部３０の本体ケース３における前面側には、第２の開口部３１を備えている。
【００３２】
第１の開口部３０は、下空間部２８における筒形状の加湿フィルター部１０内と、送風手段５とを連通する開口である。第１の開口部３０の上方には、第１の開口部３０の周縁部から上方に延びた筒部３２を備えている。筒部３２の上方には、送風手段５が設けられている。
【００３３】
第２の開口部３１は、上空間部２９と、下空間部２８における筒形状の加湿フィルター部１０の外方である、第４の加湿フィルター部分２３と本体ケース３との間とを連通する開口である。上空間部２９と第２の開口部とが、第１の連通路２６である。
【００３４】
すなわち、送風手段５によって第１の下吸込口１１から吸い込まれた空気は、第１の加湿フィルター部分２０を主に介して、加湿フィルター部１０内へ流れる。送風手段５によって第２の下吸込口１３から吸い込まれた空気は、第２の加湿フィルター部分２１を主に介して、加湿フィルター部１０内へ流れる。送風手段５によって第１の上吸込口１２および第２の上吸込口か１３ら吸い込まれた空気は、第１の連通路２６である上空間部２９と、第２の開口部３１と、下空間部２８における筒形状の加湿フィルター部１０の外方である第４の加湿フィルター部分２３と本体ケース３との間の空間と、主に第４の加湿フィルター部分２３とを、順次介して加湿フィルター部１０内へ流れる。
【００３５】
これらの下空間部における筒形状の加湿フィルター部１０内へ流れた空気は、送風手段５によって、第１の開口部３０、筒部３２、送風手段５を順次介して、吹出口２へ送風される。
【００３６】
すなわち、吸込口１を本体ケース３における一方側の側面である第１の側面８に設けられた第１の吸込口６と、第１の側面８と隣接した第２の側面９に設けられた第２の吸込口７として、騒音の増大を抑えた上で、製品の外観を損なうことなく、更に、加湿フィルター部１０に３方向から通風して、加湿フィルター部１０の気化効率を向上させることができる。
【００３７】
また、図２、８に示すように、加湿フィルター部１０は、貯水容器部１５の本体ケース３における一方側（左側）に設けられ、タンク部１６は、貯水容器部１５の本体ケース３における他方側（右側）に設けられている。第２の吸込口７の本体ケース３における他方側（右側）には、第３の吸込口３３を備えている。第３の吸込口３３から本体ケース３内方を見るとタンク部１６が見える。第３の吸込口３３から吸い込まれた空気は、第２の連通路３４を介して第３の加湿フィルター部分へ主に流れる。第２の連通路３４は、第３の吸込口３３と第３の加湿フィルター部分２２とを連通する風路で、第３の吸込口３３からタンク部１６であるタンク容器部分１７の外面に沿って第３の加湿フィルター部分２２へ延びている。
【００３８】
すなわち、第２の吸込口７の本体ケース３における他方側（右側）には、第３の吸込口３３を備えられ、第３の吸込口３３から吸い込まれた空気は、タンク部１６と本体ケース３との間である第２の連通路３４を介して第３の加湿フィルター部分２２へ主に流れる。これにより、加湿フィルター部１０に４方向から通風できるので、加湿フィルター部１０の気化効率を更に向上させることができる。
【００３９】
また、タンク部１６は、タンク部１６の内方へ窪んだ凹部３５を有している。この凹部３５は、第２の連通路３４に位置する。
【００４０】
すなわち、凹部３５によってタンク部１６と本体ケース３との間である第２の連通路３４が広くなり、通風抵抗が小さくなり、加湿フィルター部１０である第３の加湿フィルター部分２２の気化効率を更に向上させることができる。
【００４１】
また、第２の下吸込口１３の水平方向の寸法は、第１の下吸込口１１の水平方向の寸法より大きく、第２の加湿フィルター部分２１および第４の加湿フィルター部分２３の水平方向の寸法は、第１の加湿フィルター部分２０の水平方向の寸法より大きい。また、第１の下吸込口１１と第２の下吸込口１３の上下方向の寸法は、実質同じで、第１の加湿フィルター部分２０と第２の加湿フィルター部分２１と第４の加湿フィルター部分２３の上下方向の寸法は、実質同じである。結論としては、第２の下吸込口１３の開口面積は、第１の下吸込口１１の開口面積より大きく、第２の加湿フィルター部分２１および第４の加湿フィルター部分２３の面積は、第１の加湿フィルター部分２０の面積より大きい。
【００４２】
すなわち、送風手段５によって第１の上吸込口１２および第２の上吸込口１４から吸い込まれた空気は、第１の連通路２６を介して第１の加湿フィルター部分２０の水平方向の寸法より大きい第４の加湿フィルター部分２３へ主に流れる。第１の加湿フィルター部分２０の水平方向の寸法より大きい第４の加湿フィルター部分２３へ第１の上吸込口１２および第２の上吸込口１４の２箇所から吸い込まれた空気が流れ込む。これにより、第１の加湿フィルター部分２０、第２の加湿フィルター部分２１、第３の加湿フィルター部分２２、第４の加湿フィルター部分２３へ流れる各フィルター部分の面積当たりの風量バランスが良くなる。
【００４３】
この点について詳しく説明すると、仮に、第２の下吸込口１３の水平方向の寸法が、第１の下吸込口１１の水平方向の寸法より小さく、第２の加湿フィルター部分２１および第４の加湿フィルター部分２３の水平方向の寸法は、第１の加湿フィルター部分２０の水平方向の寸法より小さい場合には、送風手段５によって第１の上吸込口１２および第２の上吸込口１４から吸い込まれた空気は、第１の連通路２６を介して第１の加湿フィルター部２０分の水平方向の寸法より小さい第４の加湿フィルター部分２３へ主に流れる。この場合には、第１の加湿フィルター部分２０の水平方向の寸法より小さい第４の加湿フィルター部分２３へ第１の上吸込口１２および第２の上吸込口１４の２箇所から吸い込まれた空気が流れ込むので、特に、第４の加湿フィルター部分２３の面積当たりの風量が増加し、各フィルター部分の面積当たりの風量バランスが悪くなる。
【産業上の利用可能性】
【００４４】
本発明にかかる加湿装置は、吸込口を本体ケースにおける一方側の側面である第１の側面に設けられた第１の吸込口と、第１の側面と隣接した第２の側面に設けられた第２の吸込口として、騒音の増大を抑えることができるものであるので、家庭用や事務所用などに使用される加湿装置等として有用である。
【符号の説明】
【００４５】
１      吸込口
２      吹出口
３      本体ケース
４      加湿手段
５      送風手段
５Ａ    送風路
６      第１の吸込口
６ａ    第１の吸込口フィルター
７      第２の吸込口
７ａ    第２の吸込口フィルター
８      第１の側面
９      第２の側面
１０      加湿フィルター部
１１      第１の下吸込口
１２      第１の上吸込口
１３      第２の下吸込口
１４      第２の上吸込口
１５      貯水容器部
１６      タンク部
１７      タンク容器部分
１８      タンク取手部分
１９      タンク給水部分
２０      第１の加湿フィルター部分
２１      第２の加湿フィルター部分
２２      第３の加湿フィルター部分
２３      第４の加湿フィルター部分
２４      モータ
２５      羽根
２６      第１の連通路
２７      仕切板
２８      下空間部
２９      上空間部
３０      第１の開口部
３１      第２の開口部
３２      筒部
３３      第３の吸込口
３４      第２の連通路
３５      凹部
【図１】
0006524405.tif 000002
【図２】
0006524405.tif 000003
【図３】
0006524405.tif 000004
【図４】
0006524405.tif 000005
【図５】
0006524405.tif 000006
【図６】
0006524405.tif 000007
【図７】
0006524405.tif 000008
【図８】
0006524405.tif 000009